(57)【特許請求の範囲】
【請求項１】
経時変化する情報（以下、変化情報）を複数レイヤに展開した描画データとして重ね合わせて表示する情報表示装置において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、
前記変化情報を受信する受信手段とを備え、
前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御手段は、前記第３レイヤの記憶領域に記憶した複数の縮小描画データを順次選択して前記重畳表示画面に動画として重ね合わせるとき、
前記基本画面は地図、前記変化情報は気象情報であり、
前記受信手段は前記気象情報を外部から受信し、
前記第２レイヤの記憶領域には最新の気象情報を表す画像の描画データが記憶され、
前記第３レイヤの記憶領域には過去の複数の気象情報を表す画像の描画データが記憶されることを特徴とする情報表示装置。
【請求項２】
経時変化する情報（以下、変化情報）を複数レイヤに展開した描画データとして重ね合わせて表示する情報表示装置において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、
前記変化情報を受信する受信手段とを備え、
前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御手段は、前記第３レイヤの記憶領域に記憶した複数の縮小描画データを順次選択して前記重畳表示画面に動画として重ね合わせるとき、
前記基本画面は地図、前記変化情報は交通情報であり、
前記受信手段は前記交通情報を外部から受信し、
前記第２レイヤの記憶領域には最新の交通情報を表す画像の描画データが記憶され、
前記第３レイヤの記憶領域には過去の複数の交通情報を表す画像の縮小描画データが記憶されることを特徴とする情報表示装置。
【請求項３】
経時変化する情報（以下、変化情報）を複数レイヤに展開した描画データとして重ね合わせて表示する情報表示装置において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、
前記変化情報を受信する受信手段とを備え、
前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御手段は、前記第３レイヤの記憶領域に記憶した複数の縮小描画データを順次選択して前記重畳表示画面に動画として重ね合わせるとき、
前記基本画面は地図、前記変化情報は統計交通情報であり、
前記受信手段は前記統計交通情報を外部から受信し、
前記第２レイヤの記憶領域には基準時刻の統計交通情報を表す画像の描画データが記憶され、
前記第３レイヤの記憶領域には基準時刻の前または後の複数の統計交通情報を表す画像の縮小描画データが記憶されることを特徴とする情報表示装置。
【請求項４】
請求項１乃至３のいずれか１項に記載の情報表示装置において、
前記基本画面上に第１変化情報を重畳表示する第１画像表示を指示する第１指示手段と、
前記第１画像表示の上にさらに前記第２変化情報を重畳表示する第２画像表示を指示する第２指示手段とをさらに備え、
前記制御手段は、前記第１指示手段からの指示に応じて前記第１画像表示を前記表示モニタで行い、前記第２指示手段からの指示に応じて前記第２画像表示を前記表示モニタで行うことを特徴とする情報表示装置。
【請求項５】
請求項１乃至４項のいずれか１項に記載の情報表示装置において、
前記制御手段は、前記第２レイヤの記憶領域に記憶した前記第１変化情報が更新されると、更新前の第１変化情報を縮小した縮小画像データを作成し、前記第２変化情報の縮小描画データとして前記第３レイヤの記憶領域に記憶することを特徴とする情報表示装置。
【請求項６】
経時変化する情報（以下、変化情報）を複数レイヤに展開した描画データとして重ね合わせて表示する情報表示方法において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、
前記変化情報を受信する受信工程とを備え、
前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御工程において、前記第３レイヤの記憶領域に記憶した複数の縮小描画データを順次選択して前記重畳表示画面に動画として重ね合わせるとき、
前記基本画面は地図、前記変化情報は気象情報であり、
前記受信手段は前記気象情報を外部から受信し、
前記第２レイヤの記憶領域には最新の気象情報を表す画像の描画データが記憶され、
前記第３レイヤの記憶領域には過去の複数の気象情報を表す画像の描画データが記憶されることを特徴とする情報表示方法。
【請求項７】
経時変化する情報（以下、変化情報）を複数レイヤに展開した描画データとして重ね合わせて表示する情報表示方法において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、
前記変化情報を受信する受信工程とを備え、
前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御工程において、前記第３レイヤの記憶領域に記憶した複数の縮小描画データを順次選択して前記重畳表示画面に動画として重ね合わせるとき、
前記基本画面は地図、前記変化情報は交通情報であり、
前記受信手段は前記交通情報を外部から受信し、
前記第２レイヤの記憶領域には最新の交通情報を表す画像の描画データが記憶され、
前記第３レイヤの記憶領域には過去の複数の交通情報を表す画像の縮小描画データが記憶されることを特徴とする情報表示方法。
【請求項８】
経時変化する情報（以下、変化情報）を複数レイヤに展開した描画データとして重ね合わせて表示する情報表示方法において、
基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、
前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、
前記変化情報を受信する受信工程とを備え、
前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、
前記制御工程において、前記第３レイヤの記憶領域に記憶した複数の縮小描画データを順次選択して前記重畳表示画面に動画として重ね合わせるとき、
前記基本画面は地図、前記変化情報は統計交通情報であり、
前記受信手段は前記統計交通情報を外部から受信し、
前記第２レイヤの記憶領域には基準時刻の統計交通情報を表す画像の描画データが記憶され、
前記第３レイヤの記憶領域には基準時刻の前または後の複数の統計交通情報を表す画像の縮小描画データが記憶されることを特徴とする情報表示方法。
【発明の詳細な説明】
【技術分野】
【０００１】
本発明は情報表示装置および情報表示方法に関する。
【背景技術】
【０００２】
気象情報などの経時的に変化する情報を地図に重ねて表示するとき、時刻の古い順に連続的にその情報を表示するナビゲーション装置が従来技術として知られている（たとえば、特許文献１）。
【特許文献１】特開２００３−１２１１７２号公報
【発明の開示】
【発明が解決しようとする課題】
【０００３】
特許文献１に記載されているような従来のナビゲーション装置では、利用者から気象情報の表示の指示を受けた後、ワーキングメモリに記憶された気象情報を抽出し、気象情報を地図データとともに表示部に動画のように表示する処理を行う。このため、利用者から気象情報の表示の指示を受けた後、すぐに、経時的に変化する情報を動画のように表示できないという問題点がある。
【課題を解決するための手段】
【０００４】
（１）請求項１の発明は、経時変化する情報（以下、変化情報）を複数レイヤに展開した描画データとして重ね合わせて表示する情報表示装置において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、前記変化情報を受信する受信手段とを備え、前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御手段は、前記第３レイヤの記憶領域に記憶した複数の縮小描画データを順次選択して前記重畳表示画面に動画として重ね合わせるとき、前記基本画面は地図、前記変化情報は気象情報であり、前記受信手段は前記気象情報を外部から受信し、前記第２レイヤの記憶領域には最新の気象情報を表す画像の描画データが記憶され、前記第３レイヤの記憶領域には過去の複数の気象情報を表す画像の描画データが記憶されることを特徴とする。
（２）請求項２の発明は、経時変化する情報（以下、変化情報）を複数レイヤに展開した描画データとして重ね合わせて表示する情報表示装置において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、前記変化情報を受信する受信手段とを備え、前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御手段は、前記第３レイヤの記憶領域に記憶した複数の縮小描画データを順次選択して前記重畳表示画面に動画として重ね合わせるとき、前記基本画面は地図、前記変化情報は交通情報であり、前記受信手段は前記交通情報を外部から受信し、前記第２レイヤの記憶領域には最新の交通情報を表す画像の描画データが記憶され、前記第３レイヤの記憶領域には過去の複数の交通情報を表す画像の縮小描画データが記憶されることを特徴とする。
（３）請求項３の発明は、経時変化する情報（以下、変化情報）を複数レイヤに展開した描画データとして重ね合わせて表示する情報表示装置において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶手段と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御手段と、前記変化情報を受信する受信手段とを備え、前記描画データ記憶手段の前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御手段は、前記第３レイヤの記憶領域に記憶した複数の縮小描画データを順次選択して前記重畳表示画面に動画として重ね合わせるとき、前記基本画面は地図、前記変化情報は統計交通情報であり、前記受信手段は前記統計交通情報を外部から受信し、前記第２レイヤの記憶領域には基準時刻の統計交通情報を表す画像の描画データが記憶され、前記第３レイヤの記憶領域には基準時刻の前または後の複数の統計交通情報を表す画像の縮小描画データが記憶されることを特徴とする。
（４）請求項４の発明は、請求項１乃至３のいずれか１項に記載の情報表示装置において、前記基本画面上に第１変化情報を重畳表示する第１画像表示を指示する第１指示手段と、前記第１画像表示の上にさらに前記第２変化情報を重畳表示する第２画像表示を指示する第２指示手段とをさらに備え、前記制御手段は、前記第１指示手段からの指示に応じて前記第１画像表示を前記表示モニタで行い、前記第２指示手段からの指示に応じて前記第２画像表示を前記表示モニタで行うことを特徴とする。
（５）請求項５の発明は、請求項１乃至４項のいずれか１項に記載の情報表示装置において、前記制御手段は、前記第２レイヤの記憶領域に記憶した前記第１変化情報が更新されると、更新前の第１変化情報を縮小した縮小画像データを作成し、前記第２変化情報の縮小描画データとして前記第３レイヤの記憶領域に記憶することを特徴とする。
（６）請求項６の発明は、経時変化する情報（以下、変化情報）を複数レイヤに展開した描画データとして重ね合わせて表示する情報表示方法において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、前記変化情報を受信する受信工程とを備え、前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御工程において、前記第３レイヤの記憶領域に記憶した複数の縮小描画データを順次選択して前記重畳表示画面に動画として重ね合わせるとき、前記基本画面は地図、前記変化情報は気象情報であり、前記受信手段は前記気象情報を外部から受信し、前記第２レイヤの記憶領域には最新の気象情報を表す画像の描画データが記憶され、前記第３レイヤの記憶領域には過去の複数の気象情報を表す画像の描画データが記憶されることを特徴とする。
（７）請求項７の発明は、経時変化する情報（以下、変化情報）を複数レイヤに展開した描画データとして重ね合わせて表示する情報表示方法において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、前記変化情報を受信する受信工程とを備え、前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御工程において、前記第３レイヤの記憶領域に記憶した複数の縮小描画データを順次選択して前記重畳表示画面に動画として重ね合わせるとき、前記基本画面は地図、前記変化情報は交通情報であり、前記受信手段は前記交通情報を外部から受信し、前記第２レイヤの記憶領域には最新の交通情報を表す画像の描画データが記憶され、前記第３レイヤの記憶領域には過去の複数の交通情報を表す画像の縮小描画データが記憶されることを特徴とする。
（８）請求項８の発明は、経時変化する情報（以下、変化情報）を複数レイヤに展開した描画データとして重ね合わせて表示する情報表示方法において、基本画面の画像データを第１レイヤの記憶領域に、第１時刻における前記変化情報（以下、第１変化情報）の画像データを第２レイヤの記憶領域に、前記第１時刻の前または後における複数時刻の変化情報（以下、第２変化情報）の縮小画像データを第３レイヤの記憶領域に、それぞれ描画データとして展開して記憶する描画データ記憶工程と、前記第１〜第３レイヤの記憶領域に展開された描画データを重畳させることにより、基本画面上に前記第１時刻における前記第１変化情報を重畳表示するとともに、さらにその重畳表示画面に前記複数の第２変化情報を動画として重畳させて表示モニタに表示する制御工程と、前記変化情報を受信する受信工程とを備え、前記描画データ記憶工程において、前記第２レイヤの記憶領域には、受信した最新の変化情報を表す画像の描画データが記憶され、前記第３レイヤの記憶領域には、複数の時刻で受信した過去の変化情報を表す複数画像の縮小描画データが記憶され、且つ、前記制御工程において、前記第３レイヤの記憶領域に記憶した複数の縮小描画データを順次選択して前記重畳表示画面に動画として重ね合わせるとき、前記基本画面は地図、前記変化情報は統計交通情報であり、前記受信手段は前記統計交通情報を外部から受信し、前記第２レイヤの記憶領域には基準時刻の統計交通情報を表す画像の描画データが記憶され、前記第３レイヤの記憶領域には基準時刻の前または後の複数の統計交通情報を表す画像の縮小描画データが記憶されることを特徴とする。
【発明の効果】
【０００５】
本発明によれば、経時的に変化する気象情報などの複数の変化情報を縮小描画データとして記憶しておき、第１レイヤの基本画面の描画データと第２レイヤの基準となる変化情報の描画データに縮小描画データを重ね合わせるようにした。したがって、気象情報などの経時的変化を動画のように迅速に表示することができる。
【発明を実施するための最良の形態】
【０００６】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３は、地図データが記憶されたＤＶＤ−ＲＯＭ１１４を装填する。
【０００７】
制御回路１１は、マイクロプロセッサ及びその周辺回路からなり、ＲＡＭ１３を作業エリアとしてＲＯＭ１２に格納された制御プログラムを実行して各種の制御を行う。制御回路１１は、ＤＶＤ−ＲＯＭ１１４に記憶された地図データに基づいて所定の経路探索処理を行い、その処理結果を推奨経路として表示モニタ１６に表示する。
【０００８】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。
【０００９】
画像メモリ１５は、表示モニタ１６に表示するための画像データを格納する。この画像データは道路地図描画用データや各種の図形データからなる。制御回路１１は、ＤＶＤ−ＲＯＭ１１４に記憶された地図データなどに基づいて、その画像データを適宜生成する。ナビゲーション装置１は、このようにして生成された画像データを用いることによって地図表示などを行うことができる。
【００１０】
なお、本発明の一実施の形態であるナビゲーション装置１では、表示モニタ上に表示する地図の描画データと、地図上に最新の気象情報を重畳表示するための気象描画データとをＲＡＭ１３に記憶する。また、気象情報を動画のように表示するための複数の縮小気象描画データもＲＡＭ１３に記憶する。
【００１１】
制御回路１１は、ディスクドライブ１１３を使用してＤＶＤ−ＲＯＭ１１４から地図データを読み出す。地図データは、地図表示用データ、経路探索用データなどを含む。地図表示用データおよび経路探索用データは、地図データに格納されている道路のリンク情報およびノード情報を含む。地図表示用データは、広域から詳細まで７段階の縮尺の地図データを有する。ナビゲーション装置１は、ユーザの要求にしたがって、表示地図の縮尺を７段階に変更する。なお、制御回路１１は、ＤＶＤ−ＲＯＭ１１４以外の他の記録メディア、たとえばＣＤ−ＲＯＭやハードディスクなどから地図データを読み出してもよい。
【００１２】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどを有する。ユーザは、入力装置１８を操作することによって、表示モニタ１６に表示されている地図の縮尺を変更したり、地図をスクロールしたりすることができる。ユーザは、表示モニタ１６の表示画面の指示やスピーカ１７からの音声指示にしたがって、入力装置１８を操作して目的地を設定する。また、ユーザは、入力装置１８を操作することによって、衛星ラジオ放送を選局する。
【００１３】
ユーザが目的地を設定すると、制御回路１１は、現在地検出装置１４により検出された現在地を出発地とし、出発地から目的地までの経路演算を所定のアルゴリズムに基づいて行う。制御回路１１は、このようにして求められた経路（以下、推奨経路という）を、表示形態、たとえば表示色などを変えることによって、他の道路と区別して表示モニタ１６に表示する。これにより、ユーザは表示モニタ１６に表示された地図の中から推奨経路を認識することができる。ナビゲーション装置１は、推奨経路にしたがってユーザが走行できるように、画面や音声で経路誘導を行う。
【００１４】
タッチパネル１９は、表示モニタ１６の表面に積層される透明のタッチスイッチである。表示モニタ１６はタッチパネル１９を通して画面を表示する。ユーザが表示モニタ１６の画面を押圧すると、タッチパネル１９を押圧する。タッチパネル１９は、タッチパネル１９上の操作位置に応じた信号をタッチパネルコントロール部１１０に送出する。タッチパネルコントロール部１１０はその信号に基づいてタッチパネル１９の押圧位置を算出する。制御回路１１は、タッチパネルコントロール部１１０により算出された押圧位置に基づいて所定の処理を行う。これにより、ユーザが表示モニタ１６に表示された各種ボタンや表示メニューなどを指などで押圧すると、制御回路１１は、各種ボタンや表示メニューに定義された処理を実行することができる。
【００１５】
衛星ラジオ受信部１１１は、図示しない衛星ラジオ局から人工衛星を介して放送される衛星ラジオ放送を受信し、制御回路１１に出力する。スピーカ１７は、受信された衛星ラジオ放送を出力する。制御回路１１は受信した気象情報を受信メモリ１２に記憶する。受信メモリ１１２は、フラッシュメモリやハードディスクなどの書き換え可能な不揮発性記録媒体である。
【００１６】
衛星ラジオ放送の気象情報は、天気図の情報や、ハリケーンなどの嵐の情報、気象レーダによる雨量分布の情報、各観測地点における風向きや風力の情報などを有する。天気図の情報は、たとえば、高気圧あるいは低気圧の位置（緯度・経度）の情報、等圧線の情報、温暖前線もしくは寒冷前線の位置情報などを含む。嵐の情報は、ハリケーン、竜巻、あられ、メゾサイクロン、ひょう、雷雨などが発生している地域の観測位置や予想進路（移動方向）の情報などを含む。雨量分布の情報は、雨が降っている地域の観測位置とその位置における雨量の情報などを含む。
【００１７】
表示モニタ１６は、受信メモリ１１２に記憶された気象情報に基づいて作成した天気図や気象情報を示すアイコンを地図上に表示する。この実施の形態のナビゲーション装置１では、ナビゲーション装置１は、第１レイヤ〜第４レイヤに展開した描画データを重ね合わせて地図画面上に現在の天気図を表示するとともに、必要に応じて過去の天気図を動画のように表示する。表示モニタ１６に表示する地図は北米全域を表す地図である。地図の描画データはＲＡＭ１３に第１レイヤの描画データとして予め記憶されている。また、受信メモリ１１２に記憶した気象情報に基づいて、現在の天気図を地図に重畳表示するための描画データを作成してＲＡＭ１３に記憶する。
【００１８】
さらに、１８時間前の天気図、１２時間前の天気図、６時間前の天気図および現在の天気図を表示モニタ１６に縮小した動画として表示するため縮小描画データを作成してＲＡＭ１３に記憶する。なお、第４レイヤは最上位の表示レイヤであり各種ボタンの描画データが展開される。このように、ＲＡＭ１３には第１〜第４レイヤの描画データを記憶する記憶領域がそれぞれ設けられている。
【００１９】
以下では、第１〜第４レイヤの記憶領域に描画データを展開して記憶するという表現に代えて、便宜上、第１〜第４レイヤに描画データを展開すると表現することもある。
【００２０】
次に、図２を参照して、気象情報を表す画像を経時的に変化させて動画のように表示させる操作について説明する。
【００２１】
図２は、不図示のメニューから気象情報表示を選択すると表示される表示モニタ１６の表示画面を説明するための図である。表示モニタ１６は、図２に示す地図２０を表示し、その地図２０に重ねて天気図を表示する。天気図として、高気圧（Ｈ）、低気圧（Ｌ）、等圧線、寒冷前線および温暖前線を表示する。表示モニタ１６は、天気図に重ねて、天気図ボタン２１、雨量レーダボタン２２、風向き風量ボタン２３および動画ボタン２４を表示する。天気図ボタン２１は、天気図を地図２０に重ねて表示するためのボタンである。雨量レーダボタン２２は、レーダによって観測された雨量分布を地図２０に重ねて表示するためのボタンである。風向き風量ボタン２３は、各観測地点で観測された風向きおよび風量を地図２０に重ねて表示するためのボタンである。動画ボタン２４は、過去から現在に至るまで変化する天気図を動画のように表示するためのボタンである。
【００２２】
ユーザが動画ボタン２４を押圧すると、数時間毎の天気図を動画のように表示することができる。動画ボタン２４が押圧されると、表示モニタ１６には、図２（ｂ）に示す１８時間前の天気図２５ａが縮小画面として表示され、その後、所定時間経過するたびに、１２時間前の天気図、６時間前の天気図および現在の天気図が順次連続的に表示される。ユーザが再び動画ボタン２４を押圧するまで、表示モニタ１６には、過去から現在に至るまでの天気図が動画のように連続的に表示される。
【００２３】
図３〜図７を参照して、気象情報を経時的に変化させて動画のように表示させる表示処理について詳細に説明する。
【００２４】
ユーザが不図示のメニューから気象情報表示を選択すると、制御回路１１は、図３に示す第１レイヤ３１〜第４レイヤ３４に描画する描画データを作成し、ＲＡＭ１３の第１〜第４レイヤ描画データ記憶領域のそれぞれに記憶する。上述したように、第１レイヤ３１には地図２０の描画データが展開され、第２レイヤ３２には、最新の天気図の描画データが展開される。
【００２５】
第３レイヤには、複数の過去および現在の天気図が所定時間間隔で順次描画される。実施の形態の地図表示装置では、第３レイヤに描画される天気図は、第２レイヤに描画される天気図の１／４の縮小画像であり、ＲＡＭ１３の第３レイヤ描画データ記憶領域は４つレイヤ領域３３ａ〜３３ｄに区画されている。それぞれのレイヤ領域３３ａ〜３３ｄには、１８時間前、１２時間前、６時間前および現在の天気図の描画データが展開される。第４レイヤ３４には、天気図ボタン２１、雨量レーダボタン２２、風向き風量ボタン２３、動画ボタン２４などの描画データが展開される。
【００２６】
そして、制御回路１１は、図４に示すように、第１レイヤ３１、第２レイヤ３２および第４レイヤ３４の描画データを下から上へ重ねた表示画像データ４０を作成し、画像メモリ１５に格納する。このとき、制御回路１１は第３レイヤ３３を重ねない。表示モニタ１６は、この画像データを表示することにより、図２（ａ）に示す画像を表示する。
【００２７】
ユーザが動画ボタン２４を押圧すると、制御回路１１は、図５（ａ）に示すように第１レイヤ３１、第２レイヤ３２、第３レイヤ３３の第１レイヤ領域３３ａおよび第４レイヤ３４の描画データを下から上へ重ねた表示画像データ４０ａを作成し、その画像データ４０ａを画像メモリ１５に格納する。表示モニタ１６は、図７（ａ）に示すように１８時間前の天気図２５ａを縮小画面で表示する。所定時間経過すると、制御回路１１は、図５（ｂ）に示すように第１レイヤ３１、第２レイヤ３２、第３レイヤ３３の第２レイヤ領域３３ｂおよび第４レイヤ３４の描画データを下から上へ重ねた表示画像データ４０ｂを作成し、その画像データ４０ｂを画像メモリ１５に格納する。表示モニタ１６は、図７（ｂ）に示すように１２時間前の天気図２５ｂを縮小画面で表示する。
【００２８】
さらに所定時間経過すると、制御回路１１は、図６（ａ）に示すように第１レイヤ３１、第２レイヤ３２、第３レイヤ３３の第３レイヤ領域３３ｃおよび第４レイヤ３４の描画データを下から上へ重ねた表示画像データ４０ｃを作成し、その画像データ４０ｃを画像メモリ１５に格納する。表示モニタ１６は、図７（ｃ）に示すように６時間前の天気図２５ｃが縮小画面で表示する。その後さらに所定時間経過すると、制御回路１１は、図６（ｂ）に示すように第１レイヤ３１、第２レイヤ３２、第３レイヤ３３の第４レイヤ領域３３ｄよび第４レイヤ３４の描画データを下から上へ重ねた表示画像データ４０ｄを作成し、その画像データ４０ｄを画像メモリ１５に格納する。表示モニタ１６は、図７（ｄ）に示すように現在の天気図２５ｄを縮小画面で表示する。
【００２９】
図７（ａ）〜図７（ｄ）に表示されている天気図２５ａ〜２５ｄを時刻の古い順序で連続的に表示することによって、表示モニタ１６は、天気図の過去から現在への移り変わりを動画のように表示することができる。
【００３０】
次に、図８のフローチャートを参照して、天気図を経時的に変化して動画のように表示する表示処理を説明する。図８の処理は、動画ボタン２４が押圧されるとスタートするプログラムであり、制御回路１１が実行する。制御回路１１は、予め、第３レイヤ３３の第１レイヤ領域３３ａに１８時間前の縮小天気図を描画し、第２レイヤ領域３３ｂに１２時間前の縮小天気図を描画し、第３レイヤ領域３３ｃに６時間前の縮小天気図を描画し、第４レイヤ領域３３ｄに現在の縮小天気図を描画しているものとして説明する。
【００３１】
ステップＳ８０１では、第１レイヤ３１、第２レイヤ３２、第３レイヤ３３の第１レイヤ領域３３ａおよび第４レイヤ３４の描画データを下から上へ重ねて表示モニタ１６に表示する。ステップＳ８０２では、タッチパネルコントロール部１１０により算出されたタッチパネル１９の押圧位置に基づいて、動画ボタン２４が押圧されたか否かを判定する。動画ボタン２４が押圧された場合はステップＳ８０２が肯定判定され、表示処理を終了する。動画ボタン２４が押圧されていない場合はステップＳ８０２が否定判定され、ステップＳ８０３へ進む。
【００３２】
ステップＳ８０３では、第１レイヤ３１、第２レイヤ３２、第３レイヤ３３の第２レイヤ領域３３ｂおよび第４レイヤ３４の描画データを下から上へ重ねて表示モニタ１６に表示する。ステップＳ８０４では、ステップＳ８０２と同様にして動画ボタン２４が押圧されたか否かを判定する。動画ボタン２４が押圧された場合はステップＳ８０２が肯定判定され、表示処理を終了する。動画ボタン２４が押圧されていない場合はステップＳ８０２が否定判定され、ステップＳ８０５へ進む。
【００３３】
ステップＳ８０５では、第１レイヤ３１、第２レイヤ３２、第３レイヤ３３の第３レイヤ領域３３ｃおよび第４レイヤ３４の描画データを下から上へ重ねて表示モニタ１６に表示する。ステップＳ８０６では、ステップＳ８０２と同様にして動画ボタン２４が押圧されたか否かを判定する。動画ボタン２４が押圧された場合はステップＳ８０６が肯定判定され、表示処理を終了する。動画ボタン２４が押圧されていない場合はステップＳ８０６が否定判定され、ステップＳ８０７へ進む。
【００３４】
ステップＳ８０７では、第１レイヤ３１、第２レイヤ３２、第３レイヤ３３の第４レイヤ領域３３ｄおよび第４レイヤ３４の描画データを下から上へ重ねて表示モニタ１６に表示する。ステップＳ８０８では、ステップＳ８０２と同様にして動画ボタン２４が押圧されたか否かを判定する。動画ボタン２４が押圧された場合はステップＳ８０６が肯定判定され、表示処理を終了する。動画ボタン２４が押圧されていない場合はステップＳ８０８が否定判定され、ステップＳ８０１に戻る。
【００３５】
以上の本発明の実施形態によるナビゲーション装置１は次のような作用効果を奏する。
経時的に変化する情報である天気図のうちの所定の時刻（１８時間前、１２時間前、６時間前、および現在）の天気図２５ａ〜２５ｄを表示する画像を縮小描画データとして第３レイヤ３３に記憶した。そして、ユーザからその情報を表示する指示を受けたとき、すなわち、ユーザが動画ボタン２４を押圧したとき、第３レイヤ領域３３ａ〜３３ｄに記憶した天気図の縮小描画データを時刻の古い順序で所定時間ごとに切り替え、第１、第２および第４レイヤの描画データに重ね合わせるようにした。これにより、ユーザから経時的に変化する情報の表示の指示を受けたとき、すぐに、過去から現在に至る天気図の移り変わりを動画のように表示することができる。
【００３６】
また、１つのレイヤ３３に割り当てられたＲＡＭ１３の作業領域には、複数の画像２５ａ〜２５ｄの縮小描画データを展開するようにしたので、メモリ容量を少なくできる。したがって、４つの天気図の縮小画像の描画データをＲＡＭ１３に予め記憶させておいても制御回路１１の負担にならない。
【００３７】
以上の実施形態を次のように変形することができる。
（１）以上の実施形態では、図２（ｂ）に示すように動画のように表示する過去の天気図などを、地図２０や現在の天気図に重ねて表示するようにした。しかし、図９に示すように、地図２０や現在の天気図を表示せずに、過去の天気図などを動画として表示するようにしてもよい。表示するレイヤの数が少なくてすみ、表示モニタ１６に表示する画像データを作成する処理時間を短縮できる。
【００３８】
（２）以上の実施形態では、地図２０や現在の天気図に重ねて過去の天気図などを動画のように表示するようにした。しかし、図１０に示すように、オーディオ画面５０に重ねて表示するようにしてもよい。ここで、オーディオ画面５０とは、ナビゲーション装置１に接続された不図示のオーディオ装置を操作したり、オーディオ装置が演奏している楽曲の情報を表示したり、オーディオ装置の設定の情報を表示したりするための画面である。
【００３９】
図１０（ａ）は、オーディオ画面５０を説明するための図である。表示モニタ１６は、オーディオ画面５０に、オーディオ装置の設定５１、演奏している楽曲の情報５２、オーディオ装置を操作するためのボタン類５３および動画ボタン５４を表示する。ユーザが動画ボタン５４を押圧すると、図１０（ｂ）に示すように、表示モニタ１６は天気図の画像２５ａ〜２５ｄを縮小画面として動画のように表示する。これにより、ユーザが楽曲を聞いているとき、気象情報を知りたくなった場合に、速やかに、天気図を動画のように表示することができる。
【００４０】
（３）時刻の古い順序で連続的に表示する画像は、気象情報を表示する画像であれば、天気図の画像に限定されない。たとえば、気象衛星が撮影した雲の画像、レーダによって観測された雨量分布の画像、各観測地点で観測された風向きおよび風量を示す画像などでもよい。天気図以外の気象情報を表示する画像についても、ユーザからその画像の表示の指示を受けたとき、すぐに、その画像を動画のように表示することができる。
【００４１】
（４）時刻の古い順序で連続的に表示する画像は、経時変化する情報を表する画像であれば、天気図に限定されない。たとえば、図１１に示すように、交通情報を表示する画像でもよい。天気図以外の経時変化する情報を表する画像についても、ユーザからその画像の表示の指示を受けたとき、すぐにその画像を動画のように表示することができる。
【００４２】
図１１は、所定の交差点における渋滞状況の移り変わりを動画のように表示した表示画面を説明するための図である。図１１（ａ）は、所定の交差点における６時間前の渋滞状況を表示した表示モニタ１６の表示画面を示す図である。表示モニタ１６は、天気図が表示された地図２０に重ねて、６時間前の渋滞状況を表示した画像２６ａを表示する。画像２６ａは、渋滞表示線ともに所定の交差点の周辺の地図を表した画像である。渋滞表示線は、渋滞の状況を表す矢印であり、渋滞表示線が長ければ長いほど、渋滞の程度が大きいことを示す。
【００４３】
図１１（ｂ）は、所定の交差点における４時間前の渋滞状況を表示した表示モニタ１６の表示画面を示す図である。表示モニタ１６は、天気図が表示された地図２０に重ねて４時間前の渋滞状況を表示した画像２６ｂを表示する。
【００４４】
図１１（ｃ）は、所定の交差点における２時間前の渋滞状況を表示した表示モニタ１６の表示画面を示す図である。表示モニタ１６は、天気図が表示された地図２０に重ねて２時間前の渋滞状況を表示した画像２６ｃを表示する。図１１（ｄ）は、所定の交差点における現在の渋滞状況を表示した表示モニタ１６の表示画面を示す図である。表示モニタ１６は、天気図が表示された地図２０に重ねて現在の渋滞状況を表示した画像２６ｄを表示する。
【００４５】
表示モニタ１６は、図１１（ａ）〜図１１（ｄ）に表示されている画像２６ａ〜２６ｄを時刻の古い順序で連続的に表示することによって、所定の交差点における渋滞状況の過去から現在に至るまでの移り変わりを動画のように表示することができる。
【００４６】
（５）図７に示すように、経時的に変化する情報を示す画像において、６時間おきの画像を時刻の古い順序で連続的に表示した。しかし、経時的に変化する情報の中で、表示する画像における情報の時間的間隔は、表示させたい時間の範囲や、レイヤを記憶するメモリの容量などにより適宜選択することができる。たとえば、１時間おきの画像を時刻の古い順序で連続的に表示してもよい。
【００４７】
（６）図７に示すように、過去から現在に至るまでにおける経時的に変化する情報を示す画像を時刻の古い順序で連続的に表示した。しかし、全て過去における経時的に変化する情報を示す画像を時刻の古い順序で連続的に表示するようにしてもよい。たとえば、１年前の天気図を知りたい場合、１年前の天気図を表す複数の画像を時刻の古い順序で連続的に表示するようにしてもよい。
【００４８】
（７）経時的に変化する情報を予測できる場合、予測した情報を表す画像を時間順序で連続的に表示するようにしてもよい。たとえば、６時間後、１２時間後、１８時間後および２４時間後の予想天気図を時間順序で連続的に表示するようにしてもよい。また、統計交通情報などを利用して将来の渋滞状況を予測できる場合、所定の交差点における１時間後の渋滞状況を表示した画像、２時間後の渋滞状況を表示した画像、３時間後の渋滞状況を表示した画像および４時間後の渋滞状況を表示した画像などを時間順序で連続的に表示するようにしてもよい。
【００４９】
（８）図３に示すように、複数の画像２５ａ〜２５ｄの縮小描画データをそれぞれ展開するレイヤ３３は１つであったが、図１２に示すように、複数のレイヤ３３，３５に、複数の画像の描画データを展開するようにしてもよい。これにより、連続的に表示する画像の数を多くすることができる。
【００５０】
（９）図３に示すように、１つのレイヤ３３に４つの画像２５ａ〜２５ｄのいずれか一つの描画データを展開するようにしたが、１つのレイヤに描画する画像の数は、表示モニタの画面の大きさなどにより適宜選択することができる。たとえば、図１３に示すように、１つのレイヤ３３に９つの縮小画像の描画データを順次に展開するようにしてもよい。これにより、連続的に表示する画像の数を多くすることができる。
【００５１】
なお、単純に１/９とすると表示モニタ１６上の表示範囲が小さくなる。そこで、１／４縮小画像のまま動画として表示する縮小画像を増やすには、複数のレイヤにモニタの１／４縮小画像を記憶すればよい。
【００５２】
（１０）第２レイヤの天気図が更新されると、更新前の天気図を縮小した縮小画像データを作成し、第３レイヤにおける縮小描画データとして第３レイヤの記憶領域に記憶するようにしてもよい。天気図のデータが更新されるごとに過去の天気図の画像データが第３レイヤに順次作成されるので、速やかに過去の天気図を縮小画面として表示させることができる。
【００５３】
（１１）第１レイヤに描画される画像データは、表示画面の基本となる基本画面の画像データであれば地図画面の画像データやオーディオ画面の画像データに限定されない。また、第２レイヤおよび第３レイヤに描画される画像データは、時間とともに変化する変化情報についての画像データであれば天気図の画像データや渋滞状況を表示した画像の画像データに限定されない。
【００５４】
本発明は、情報表示装置であれば、ナビゲーション装置に限定されない。たとえば、本発明は、地図を表示するＰＤＡ（Personal Digital Assistants）にも適用できる。さらに、基本となる画面は地図以外の周囲の状況を表示する画像やお好みの画像でもよい。
【００５５】
実施形態と変形例の一つ、もしくは複数を組み合わせることも可能である。変形例同士をどのように組み合わせることも可能である。
【００５６】
以上の説明はあくまで一例であり、発明は、上記の実施形態に何ら限定されるものではない。
【００５７】
特許請求の範囲の要素と実施の形態との対応関係を説明する。
本発明の描画データ記憶手段はＲＡＭ１３に、制御手段は制御回路１１にそれぞれ対応する。第１および第２指示手段は制御回路１１、タッチパネル１９およびタッチパネルコントロール部１１０に対応する。なお、以上の説明はあくまで一例であり、発明を解釈する上で、上記の実施形態の構成要素と本発明の構成要素との対応関係になんら限定されるものではない。
【図面の簡単な説明】
【００５８】
【図１】本発明の実施形態によるナビゲーション装置を説明するための図である。
【図２】天気図を経時的に変化させて動画のように表示する操作を説明するための図である。
【図３】４つのレイヤに描画する画像を説明するための図である。
【図４】３つのレイヤを重ねて画像データを作成する処理を説明するための図である。
【図５】２４時間前および１８時間前の天気図を縮小画面で表示する処理を説明するための図である。
【図６】１２時間前および６時間前の天気図を縮小画面で表示する処理を説明するための図である。
【図７】天気図を経時的に変化させて動画のように表示するときの表示画面を説明するための図である。
【図８】天気図を経時的に変化させて動画のように表示する表示処理を説明するためのフローチャートである。
【図９】地図や現在の天気図を表示しないで、天気図を動画のように表示するときの表示画面を説明するための図である。
【図１０】オーディオ画面を表示して、天気図を動画のように表示するときの表示画面を説明するための図である。
【図１１】交通情報を表示した画像を動画のように表示するときの表示画面を説明するための図である。
【図１２】５つのレイヤに描画する画像を説明するための図である。
【図１３】４つのレイヤに描画する他の実施形態の画像を説明するための図である。
【符号の説明】
【００５９】
１  ナビゲーション装置            １１  制御回路
１３  ＲＡＭ                      １６  表示モニタ
１９  タッチパネル                ２０  地図
２４，５１  動画ボタン            ２５ａ〜２５ｄ  天気図を表す画像
２６ａ〜２６ｄ  交通情報を表す画像      ３１〜３５  レイヤ
４０，４０ａ〜４０ｄ  画像データ        ５０  オーディオ画面
１１０  タッチパネルコントロール部
【図１】
0005087452.tif 000002
【図２】
0005087452.tif 000003
【図３】
0005087452.tif 000004
【図４】
0005087452.tif 000005
【図５】
0005087452.tif 000006
【図６】
0005087452.tif 000007
【図７】
0005087452.tif 000008
【図８】
0005087452.tif 000009
【図９】
0005087452.tif 000010
【図１０】
0005087452.tif 000011
【図１１】
0005087452.tif 000012
【図１２】
0005087452.tif 000013
【図１３】
0005087452.tif 000014